(57)【特許請求の範囲】
【請求項１】
空気清浄機における集塵電極ユニットの取付け構造であって、空気清浄機に備えたケーシングに集塵電極ユニットを着脱可能に収納する収納部を備え、前記収納部の一側部に、前記集塵電極ユニットの底面に備えた被係止部を係止自在かつ集塵電極ユニットを下側から支持自在な係止部材を備え、前記収納部の一側部に対向した他側部に、当該収納部に対して出没可能かつ前記集塵電極ユニットの側面に備えた係合凹部に係合可能なロック部材を備え、前記ロック部材の先端部側に上方向への突出部を備え、前記集塵電極ユニットにおける前記係合凹部に、前記ロック部材に対して前記集塵電極ユニットが相対的に前記一側部方向へ移動するときに前記突出部に係止される係止部を備えていることを特徴とする空気清浄機における集塵電極ユニットの取付け構造。
【請求項２】
請求項１に記載の取付け構造において、前記ロック部材は前記収納部内へ突出する方向へ付勢してあることを特徴とする空気清浄機における集塵電極ユニットの取付け構造。
【請求項３】
請求項１又は２に記載の取付け構造において、前記突出部は、前記ロック部材の先端側に凹部を形成することによって当該凹部より先端側に形成してあり、前記突出部の前記凹部側の面は、凹部側に低くなる傾斜面に形成してあることを特徴とする空気清浄機における集塵電極ユニットの取付け構造。
【請求項４】
請求項１、２又は３に記載の取付け構造において、前記突出部の上端部は三角形状に形成してあることを特徴とする空気清浄機における集塵電極ユニットの取付け構造。
【発明の詳細な説明】
【技術分野】
【０００１】
本発明は、例えば天井に備えた空気清浄機における集塵電極ユニットの取付け構造に係り、さらに詳細には、着脱が容易であって例えば地震等の振動によっても落下することのない集塵電極ユニットの取付け構造に関する。
【背景技術】
【０００２】
天井に備えた空気清浄機においては、集塵電極ユニットを定期的に洗浄する必要があるので、空気清浄機に対しての装着、取り外しが容易であることが望ましい。また、安全性向上のためには、振動等の外力が加わった場合でも集塵電極ユニットが容易に外れないことが望ましいものである。
【０００３】
ところで、集塵電極ユニットを着脱可能に備えた空気清浄機に係る先行例として特許文献１がある。
【特許文献１】特開２００５−１７７５６２号公報
【発明の開示】
【発明が解決しようとする課題】
【０００４】
前記特許文献１に記載の、空気清浄機に備えた保持ユニットに対して集塵ユニットを着脱する構成は、前記保持ユニットの対向した両側に備えた球面形状の頭部をコイルスプリングによって突出する方向へ押圧付勢し、対向して備えた前記頭部を、前記集塵ユニットの両側面に押圧当接して挟圧する構成である。
【０００５】
したがって、保持ユニットに対する集塵ユニットの着脱は容易に行い得るものの、振動などの外力が加わると落下し易いものである。
【課題を解決するための手段】
【０００６】
本発明は、前述のごとき問題に鑑みてなされたもので、空気清浄機における集塵電極ユニットの取付け構造であって、空気清浄機に備えたケーシングに集塵電極ユニットを着脱可能に収納する収納部を備え、前記収納部の一側部に、前記集塵電極ユニットの底面に備えた被係止部を係止自在かつ集塵電極ユニットを下側から支持自在な係止部材を備え、前記収納部の一側部に対向した他側部に、当該収納部に対して出没可能かつ前記集塵電極ユニットの側面に備えた係合凹部に係合可能なロック部材を備え、前記ロック部材の先端部側に上方向への突出部を備え、前記集塵電極ユニットにおける前記係合凹部に、前記ロック部材に対して前記集塵電極ユニットが相対的に前記一側部方向へ移動するときに前記突出部に係止される係止部を備えていることを特徴とするものである。
【０００７】
また、前記取付け構造において、前記ロック部材は前記収納部内へ突出する方向へ付勢してあることを特徴とするものである。
【０００８】
また、前記取付け構造において、前記突出部は、前記ロック部材の先端側に凹部を形成することによって当該凹部より先端側に形成してあり、前記突出部の前記凹部側の面は、凹部側に低くなる傾斜面に形成してあることを特徴とするものである。
【０００９】
また、前記取付け構造において、前記突出部の上端部は三角形状に形成してあることを特徴とするものである。
【発明の効果】
【００１０】
本発明によれば、空気清浄機におけるケーシングに備えた収納部に対する集塵電極ユニットの着脱が容易であると共に、前記収納部に対する集塵電極ユニットの装着後には、振動等によって装着状態が変化するようなことがなく、集塵電極ユニットが外れて落下するようなことがないものである。
【発明を実施するための最良の形態】
【００１１】
図１に概略的、概念的に示すように、本発明の実施形態に係る取付け構造は、次のように構成してある。すなわち、空気清浄機（全体的構成は図示省略）に備えたケーシング１には、集塵電極ユニット３を着脱可能に装着する収納部５が備えられている。なお、空気清浄機の構成は公知であり、また集塵電極ユニット３の全体的構成も公知であるから、空気清浄機及び集塵電極ユニット３の詳細な構成についての説明は省略し、前記収納部５に対して前記集塵電極ユニット３を着脱可能に収納する構成について詳細に説明することとする。
【００１２】
前記ケーシング１に備えた前記収納部５の一側壁５Ａの下部の適数箇所には、収納部５の内方向へ突出した係止部材７が一体に備えられている。この係止部材７の先端部（内端部）には、上方向へ折曲げかつ前記係止部材７と鋭角をなすように屈曲されたフック９が備えられている。前記収納部５の前記一側壁５Ａと対向した他側壁５Ｂの上部には、当該収納部５に対して前記集塵電極ユニット３の着脱を行うときに、前記集塵電極ユニット３が上方向へ大きく移動することを規制するストッパ１１が備えられている。そして、前記他側壁５Ｂの下部側の適数箇所には、前記集塵電極ユニット３を前記収納部５内に固定するためロック機構１３が備えられている。
【００１３】
より詳細には、前記他側壁５Ｂにおいて前記ケーシング１内にはガイド部１５が形成してあり、このガイド部１５には、前記収納部５の内部に対して出没可能なロック部材１７が移動自在に備えられている。上記ロック部材１７の下部には、当該ロック部材１７の移動を操作するための把持部１９が下方向に突出して備えられている。そして、前記他側壁５Ｂとロック部材１７との間には、ロック部材１７を前記収納部５の内部方向（図１において右方向）へ突出するよう付勢する付勢手段の一例として引っ張りスプリングなどのごとき弾性部材２１が備えられている。
【００１４】
前記ロック部材１７は、横断面形状（図１において右方向から見たときの断面形状）がＵ字形状であって両側（図１においては紙面に垂直な方向の両側）に適宜に離れて側壁部（立上りフランジ部）２３が備えられている。そして、前記ロック部材１７における両立上りフランジ部２３の先端側には上側を開放した凹部２５が形成してあり、この凹部２５を形成することにより、前記ロック部材１７の先端部上面には突出部２７が備えられている。上記突出部２７の上端部側は、図１に示すように三角形状に形成してあり、この突出部２７の前記凹部２５側の面は、凹部２５側が低くなる傾斜面２９Ａに形成してある。そして、前記突出部２７の前記ロック部材１７における先端部側の面は、前記傾斜面２９Ａとは逆方向に傾斜した傾斜面２９Ｂに形成してある。
【００１５】
前記集塵電極ユニット３における底面の一側部側には、前記係止部材７の一部を構成する前記フック９に係止される被係止部３１が備えられている。この被係止部３１は、前記集塵電極ユニット３の底面に穴３３を形成することによって備えられているが、必ずしも穴３３は必要でなく、被係止部３１は、前記係止部材７における前記フック９に係止されるように前記底面から突出した構成でもよいものである。
【００１６】
前記集塵電極ユニット３における他側部の側面には、前記ロック部材１７が係合可能な係合凹部３５が形成してある。上記係合凹部３５は、前記ロック部材１７の先端部側が挿通可能であれば穴又は切欠き部などであってもよいものである。そして、前記係合凹部３５の上部には、前記ロック部材１７における前記凹部２５に係合して前記ロック部材１７から離脱する方向への移動を前記突出部２７によって規制され係止される係止部３７が下方向へ突出して備えられている。
【００１７】
以上のごとき構成において、図１に示すように、ケーシング１における収納部５内に集塵電極ユニット３を収納（装着）するには、先ず、図２に示すように、集塵電極ユニット３の一端部側を収納部５に対して下側から挿入する。そして、図３に示すように、被係止部３１が前記フック９に係止されるように、被係止部３１を前記フック９と収納部５の一側壁５Ａとの間において係止部材７上に載置し、被係止部３１が係止部材７に支持された状態にすると共に、ロック機構１３におけるロック部材１７に備えた把持部１９を操作して、弾性部材２１の付勢力に抗して前記ロック部材１７の先端部を、前記収納部５の他側壁５Ｂの内面から没入する。その後、前記集塵電極ユニット３の他端部側を、ストッパ１１に当接するまで押し上げる。
【００１８】
前述したように、集塵電極ユニット３の他端部がストッパ１１に当接するように押し上げると、前記ロック機構１３と前記集塵電極ユニット３の他側面に備えた前記係合凹部３５が対向する位置関係になる。したがって、前記把持部１９の操作を解除すると、弾性部材２１の付勢力によってロック部材１７の先端部が前記係合凹部３５内に挿入され、図４に示すように、前記係合凹部３５の係止部３７と前記ロック部材１７に備えた凹部２５が上下に対向した位置関係になる。
【００１９】
よって、その後に集塵電極ユニット３の他端部側の押上げを解除すると、他端部側が下降しロック部材１７における凹部２５に係合凹部３５の係止部３７が係合して、図１に示すごとき状態となるものである。なお、前記収納部５から集塵電極ユニット３を取り外す場合には、前述した動作を逆に行えばよいものである。
【００２０】
前述したように、収納部５に集塵電極ユニット３を装着（収納）した状態においては、集塵電極ユニット３における底面の一側部に備えた被係止部３１が収納部５に備えた係止部材７におけるフック９に係止されていることにより、図１において左方向への移動が規制されている。そして、前記フック９は鋭角に折曲げられているので、前記被係止部３１は上方向への移動も規制されているものである。
【００２１】
また、集塵電極ユニット３の他側面に備えた係合凹部３５の係止部３７がロック部材１７に備えた凹部２５に係合してあり、かつ前記ロック部材１７は前記係合凹部３５に係合した状態を保持するように、収納部５内へ突出するように付勢してあるので、集塵電極ユニット３の他側部においても、図１においての左右方向及び上下方向への移動が規制されているものである。したがって、振動等によって集塵電極ユニット３が収納部５から外れることを防止することができ、かつ前述したように、収納部５に対する集塵電極ユニット３の着脱を容易に行い得るものである。
【００２２】
ところで、前述したように、ロック部材１７に備えた突出部２７を三角形状に形成してあることにより、収納部５に集塵電極ユニット３を装着するとき、集塵電極ユニット３における係合凹部３５の係止部３７が前記突出部２７の凹部２５側の傾斜面２９Ａに接触したときには、係止部３７が凹部２５に確実に係合する。そして、前記係止部３７が前記突出部２７の先端部側の傾斜面２９Ｂに接触すると、弾性部材２１の付勢力に抗してロック部材１７を押圧し下降するので、前記係止部３７が凹部２５に係合したか否かを容易に確認することができるものである。なお、収納部５に対する集塵電極ユニット３の装着時に、把持部１９を操作してロック部材１７を、図１において左右方向へ僅かに往復動することにより、ロック部材１７における突出部２７の頂部と前記係止部３７とが当接した状態を解除することができるものである。
【００２３】
ところで、前述したように、ロック部材１７における前記凹部２５に前記係止部３７を係合したとき、前記突出部２７における傾斜面２９Ａに前記係止部３７が接触した状態に保持される場合には、上記傾斜面２９Ａの作用によって、集塵電極ユニット３には、図１において左方向への分力が作用し、前記被係止部３１と前記フック９との係合状態、すなわち被係止部材３１をフック９によって係止した状態が保持される。したがって、前記フック９と被係止部材３１との係合関係が振動等によって外れ難いものである。これは、弾性部材２１による付勢力がない場合でも同様の効果を発揮する。
【００２４】
また、前記ロック部材１７はＵ字形状に形成してあって、離れた２点において前記係止部３７を支持するので、１点で支持する場合に比較して安定して支持することができ、また垂直軸心回りの揺動（回動）を効果的に抑制できる。よって、振動等によってより外れ難いものである。
【００２５】
また、前記構成においては、ロック機構１３の上方にストッパ１１が設けてあって集塵電極ユニット３の上方向への移動を規制しているので、上下方向の振動によって集塵電極ユニット３が上下動するにしても、上方向への大きな移動が規制される。したがって、前記ロック部材１７の凹部２５に対して前記係止部３７が上昇して係合状態が外れた場合であっても、前記ストッパ１１に当接して直ちに下降して前記凹部２５と前記係止部３７との再係合が直ちに行なわれ易いものであり、振動等によって集塵電極ユニット３が収納部５から外れることを抑制することができるものである。
【００２６】
図５は第２の実施形態を示すものである。この実施形態においては、前記収納部５における一側壁５Ａ側に、集塵電極ユニット３を他側壁５Ｂ方向へ押圧付勢するための押圧付勢手段３９を備えた構成である。上記押圧付勢手段３９は、例えば板ばねなどのごとき弾性部材４１から構成してあって、前記集塵電極ユニット３における一側面を押圧付勢するように構成してある。
【００２７】
上記構成によれば、押圧付勢手段３９の作用によって前記係止部材７におけるフック９と集塵電極ユニット３に備えた被係止部３１との係合関係が維持されると共に、図５において、集塵電極ユニット３が左方向へ押圧付勢され、ロック部材１７が右方向へ押圧付勢されているので、収納部５に対する集塵電極ユニット３の保持効果が向上し、振動等によって外れ難いものである。
【００２８】
ところで、本発明は、前述したごとき実施形態のみに限るものではなく、適宜の変更を行うことにより、その他の形態でもって実施可能である。例えば、前記ロック部材１７に備えた凹部２５の形状をＶ溝形状とすることも可能である。このように、凹部２５をＶ溝形状とすることにより、前記係止部３７はＶ溝に挟み込まれる態様に係合するものであり、係止部３７と凹部２５との相対的な動きを規制した状態（がた付きのない状態）に係合することができる。
【００２９】
また、前記ロック機構１３における弾性部材２１を省略し、ロック部材１７の動作を全て把持部１９の操作によって行う構成とすることも可能である。
【００３０】
また、前記突出部２７における傾斜面２９Ａと傾斜面２９Ｂはどちらか一方だけを設けた構成とすることも可能である。突出部２７に傾斜面２９Ａのみを設けた場合は、収納部５に集塵電極ユニット３を装着するとき、集塵電極ユニット３における係合凹部３５の係止部３７が前記突出部２７の凹部２５側の傾斜面２９Ａに少しでも接触したときには、傾斜面２９Ａと集塵電極ユニット３の重量の作用によって、図１において左方向への分力が作用し、係止部３７が凹部２５に確実に係合する。
【００３１】
また、突出部２７に傾斜面２９Ｂのみを設けた場合は、収納部５に集塵電極ユニット３を装着するとき、集塵電極ユニット３における係合凹部３５の係止部３７が前記突出部２７の凹部２５側の傾斜面２９Ｂに少しでも接触したときには、傾斜面２９Ｂと集塵電極ユニット３の重量の作用によって、図１において右方向への分力が作用し、ロック部材１７を押圧し下降するので、前記係止部３７が凹部２５に係合したか否かを容易に確認することができるものである。
【図面の簡単な説明】
【００３２】
【図１】本発明の実施形態に係る空気清浄機における集塵電極ユニットの取付け構造の説明図である。
【図２】集塵電極ユニットを取付ける際の作用説明図である。
【図３】集塵電極ユニットを取付ける際の作用説明図である。
【図４】集塵電極ユニットを取付ける際の作用説明図である。
【図５】第２実施形態の説明図である。
【符号の説明】
【００３３】
１  ケーシング
３  集塵電極ユニット
５  収納部
５Ａ  一側壁
５Ｂ  他側壁
７  係止部材
９  フック
１１  ストッパ
１３  ロック機構
１７  ロック部材
１９  把持部
２１  弾性部材
２３  側壁部（立上りフランジ部）
２５  凹部
２７  突出部
２９Ａ，２９Ｂ  傾斜面
３１  被係止部
３５  係合凹部
３７  係止部
３９  押圧付勢手段
【図１】
0004901684.tif 000002
【図２】
0004901684.tif 000003
【図３】
0004901684.tif 000004
【図４】
0004901684.tif 000005
【図５】
0004901684.tif 000006